(57)【要約】      （修正有）【課題】既存のインターホンシステムを流用し、既存の伝送線路であるツイストペア線上へ短波帯域に周波数スペクトラム拡散された搬送波を重畳したとき、重畳された搬送波の送受信レベルを簡便な手段で最適に設定し、通信速度の安定した高速デジタルデータ伝送を可能にする。【解決手段】集合玄関機１側のカメラ８にて撮像された映像を居室親機２ａ、２ｂ、・・・側のモニタ１９ａ、１９ｂ、・・・に出画させるために、集合玄関機側では、カメラにて撮像された映像のデジタル映像信号について周波数スペクトラム拡散させた搬送波の電力レベルを調節し、特定の周波数に対して大きな減衰量を得るために同調波長を波長λｇの１／４程度とした後、ツイストペア線Ｌ1に重畳する。一方、居室親機側では、同調波長を波長λｇの１／４程度とし、その搬送波の電力レベルを調節した後、デジタル映像信号に変換する。【選択図】図１
2008061179.tif 000002
【特許請求の範囲】
【請求項１】
集合住宅のエントランスに設置される集合玄関機（１）及び各住戸に設置される複数の居室親機（２ａ、２ｂ、・・・）の間を、制御機（３）を介しツイストペア線（Ｌ1、Ｌ2）を経由して接続し、前記集合玄関機及び前記居室親機の間でアナログのデータ信号と音声信号とを送受信して呼び出し、通話を成立させるインターホンシステムであって、
前記集合玄関機側には、カメラ（８）と、前記カメラにて撮像されたアナログ映像信号をデジタル映像信号にアナログ／デジタル変換するための映像Ａ／Ｄ変換器（９）とがそれぞれ設置され、
前記居室親機側には、高速のデジタルデータ伝送で伝送されてくる前記デジタル映像信号をアナログ映像信号にデジタル／アナログ変換するための映像Ｄ／Ａ変換器（１８ａ、１８ｂ、・・・）と、前記映像Ｄ／Ａ変換器からのアナログ映像信号をもとに前記カメラにて撮像された映像を出画するためのモニタ（１９ａ、１９ｂ、・・・）とがそれぞれ設置され、
前記集合玄関機及び前記制御機の間を接続する前記ツイストペア線には、前記デジタル映像信号を周波数スペクトラム拡散させた搬送波に変換して前記ツイストペア線に重畳するための集合玄関機側デジタル信号重畳・分離器（１０）と、前記集合玄関機側デジタル信号重畳・分離器を経由して周波数スペクトラム拡散された搬送波の電力レベルを調節するための集合玄関機側可変型減衰器（１１）とをそれぞれ備え、
前記制御機及び前記居室親機の間を接続する前記ツイストペア線には、当該ツイストペア線に重畳された搬送波の電力レベルを調節するための居室親機側可変型減衰器（１５ａ、１５ｂ、・・・）と、前記居室親機側可変型減衰器を経由して電力レベルが調節された搬送波をデジタル映像信号に変換するための居室親機側デジタル信号重畳・分離器（１７ａ、１７ｂ、・・・）とをそれぞれ備えたことを特徴とするインターホンシステム。
【請求項２】
戸建住宅のエントランスに設置される玄関子機（５１）及び住戸内に設置される居室親機（５２）の間を、ツイストペア線（Ｌ51）を経由して接続し、前記玄関子機及び前記居室親機の間でアナログのデータ信号と音声信号とを送受信して呼び出し、通話を成立させるインターホンシステムであって、
前記玄関子機側には、カメラ（５５）と、前記カメラにて撮像されたアナログ映像信号をデジタル映像信号にアナログ／デジタル変換するための映像Ａ／Ｄ変換器（５６）とがそれぞれ設置され、
前記居室親機側には、高速のデジタルデータ伝送で伝送されてくる前記デジタル映像信号をアナログ映像信号にデジタル／アナログ変換するための映像Ｄ／Ａ変換器（６１）と、前記映像Ｄ／Ａ変換器からのアナログ映像信号をもとに前記カメラにて撮像された映像を出画するためのモニタ（６２）とがそれぞれ設置され、
前記ツイストペア線には、前記デジタル映像信号を周波数スペクトラム拡散させた搬送波に変換して当該ツイストペア線に重畳するための玄関子機側デジタル信号重畳・分離器（５７）と、前記玄関子機側デジタル信号重畳・分離器を経由して周波数スペクトラム拡散された搬送波をデジタル映像信号に変換するための居室親機側デジタル信号重畳・分離器（６０）とをそれぞれ備えたことを特徴とするインターホンシステム。
【請求項３】
前記可変型減衰器は、特定の周波数に対して大きな減衰量を得るために同調波長が波長λｇの１／４程度となる先端開放スタブフィルタ（１２、１４ａ、１４ｂ、・・・）が接続されることを特徴とする請求項１記載のインターホンシステム。
【請求項４】
前記集合住宅又は前記戸建住宅の電力線を、同一周波数帯域の電力線搬送波通信に使用している場合に、前記集合玄関機、前記制御機、前記デジタル信号重畳・分離器前記玄関子機及び前記居室親機のそれぞれの商用交流電源供給ライン（Ｌ3、Ｌ52）にラインフィルタ（５、６ａ、６ｂ、・・・、７、２０、２１ａ、２１ｂ、・・・、５３、５４、６３、６４）を備えたことを特徴とする請求項１又は請求項２記載のインターホンシステム。
【請求項５】
前記インターホンシステムは、前記デジタル信号重畳・分離器及び前記電力線搬送波通信モデム（１３、１６ａ、１６ｂ、・・・、５８、５９）を経由して前記電力線搬送波通信を行うための電力線と接続することを特徴とする請求項４記載のインターホンシステム。
【請求項６】
前記インターホンシステムは、前記カメラの代わりに、インターネット（１００）を接続することを特徴とする請求項１乃至請求項５のうち何れか１記載のインターホンシステム。
【発明の詳細な説明】
【技術分野】
【０００１】
本発明はインターホンシステムに係り、特に、来訪者の対応及び複数箇所の屋内（住戸内）監視に対応するにあたり、アナログ信号及びデジタル信号をそれぞれツイストペア線に重畳させて伝送可能なインターホンシステムに関する。
【背景技術】
【０００２】
従来から、マンション等の集合住宅や戸建住宅に、呼び出し、通話を成立させることができるインターホンシステムを設置するにあたり、各種の信号の伝送にはツイストペア線が用いられることがよく知られている。このインターホンシステムにおいて、アナログのデータ信号や音声信号を伝送する場合には、１対のツイストペア線が用いられるが、例えば、集合住宅の集合玄関に設置される集合玄関機のカメラにて撮像されたデジタル映像信号を居室親機のモニタに伝送する場合には、前述のツイストペア線とは別途に１対のツイストペア線が必要とされていた。
【０００３】
このような伝送方式が適用されると、配線や回路構成が複雑になるため、アナログのデータ信号や音声信号に加えて、高速なデジタル映像信号も１対のツイストペア線を用いて伝送する伝送方式を適用した集合住宅用２線式デジタルインターホンシステムが開示されている（例えば、特許文献１を参照。）。
【０００４】
特許文献１の集合住宅用２線式デジタルインターホンシステムによれば、数ＭＨｚの周波数帯域（映像周波数帯域）を有するデジタル映像信号と、このデジタル映像信号との混信を防止するために映像周波数帯域よりも高い周波数帯域を有するアナログのデータ信号や音声信号とをそれぞれ、１対のツイストペア線に重畳させていた。
【０００５】
また、ツイストペア線を用いた伝送方式とは異なる別途の通信方式として、例えば、低電圧電線等の電力線を経由して各種の信号を伝送する電力線搬送通信方式も知られている。
【０００６】
【特許文献１】特開平２−２６６７４２号公報（第１図、第２図、第６図）
【発明の開示】
【発明が解決しようとする課題】
【０００７】
背景技術に記載した特許文献１の集合住宅用２線式デジタルインターホンシステムにおいて、近年、その必要性が増してきている高速デジタルデータを１対のツイストペア線に重畳するにあたり、当該システムの大型化に伴いツイストペア線の線路長が長くなると、送信出力及び受信感度をそれぞれ高くする必要がある。このとき、受信感度が高められたデジタルデータを受信する機器では、受信感度のレベル過大に起因して正常な受信動作ができない難点があった。また、ツイストペア線を利用するにあたっては、このツイストペア線に誘起された短波放送等の外来電波による影響で、安定した通信速度の高速デジタルデータ伝送通信ができない虞があった。さらに、低電圧電線等の電力線を経由して各種の信号を伝送する電力線搬送通信を適用するにあたっては、電源供給ライン上に誘起された他の搬送波の影響で、安定した通信速度の高速デジタルデータ伝送ができない虞があった。
【０００８】
本発明は、この難点を解消するためになされたもので、既存のインターホンシステムを流用し、既存の伝送線路であるツイストペア線上へ短波帯域に周波数スペクトラム拡散された搬送波を重畳したとき、重畳された搬送波の送受信レベルを簡便な手段で最適に設定し、通信速度の安定した高速デジタルデータ伝送を可能にするとともに、商用交流電源の電源供給ラインを使用して、通信速度の安定した高速デジタルデータ伝送を可能にするインターホンシステムを提供することを目的としている。
【課題を解決するための手段】
【０００９】
前述の目的を達成するため、本発明の第１の態様であるインターホンシステムは、集合住宅のエントランスに設置される集合玄関機及び各住戸に設置される複数の居室親機の間を、制御機を介しツイストペア線を経由して接続し、集合玄関機及び居室親機の間でアナログのデータ信号と音声信号とを送受信して呼び出し、通話を成立させるものである。集合玄関機側には、カメラと、カメラにて撮像されたアナログ映像信号をデジタル映像信号にアナログ／デジタル変換するための映像Ａ／Ｄ変換器とがそれぞれ設置されている。居室親機側には、高速のデジタルデータ伝送で伝送されてくるデジタル映像信号をアナログ映像信号にデジタル／アナログ変換するための映像Ｄ／Ａ変換器と、映像Ｄ／Ａ変換器からのアナログ映像信号をもとにカメラにて撮像された映像を出画するためのモニタとがそれぞれ設置されている。集合玄関機及び制御機の間を接続するツイストペア線には、デジタル映像信号を周波数スペクトラム拡散させた搬送波に変換してツイストペア線に重畳するための集合玄関機側デジタル信号重畳・分離器と、集合玄関機側デジタル信号重畳・分離器を経由して周波数スペクトラム拡散された搬送波の電力レベルを調節するための集合玄関機側可変型減衰器とをそれぞれ備えている。制御機及び居室親機の間を接続するツイストペア線には、当該ツイストペア線に重畳された搬送波の電力レベルを調節するための居室親機側可変型減衰器と、居室親機側可変型減衰器を経由して電力レベルが調節された搬送波をデジタル映像信号に変換するための居室親機側デジタル信号重畳・分離器とをそれぞれ備えている。
【００１０】
また、本発明の第２の態様であるインターホンシステムは、戸建住宅のエントランスに設置される玄関子機及び住戸内に設置される居室親機の間を、ツイストペア線を経由して接続し、玄関子機及び居室親機の間でアナログのデータ信号と音声信号とを送受信して呼び出し、通話を成立させるものである。玄関子機側には、カメラと、カメラにて撮像されたアナログ映像信号をデジタル映像信号にアナログ／デジタル変換するための映像Ａ／Ｄ変換器とがそれぞれ設置されている。居室親機側には、高速のデジタルデータ伝送で伝送されてくるデジタル映像信号をアナログ映像信号にデジタル／アナログ変換するための映像Ｄ／Ａ変換器と、映像Ｄ／Ａ変換器からのアナログ映像信号をもとにカメラにて撮像された映像を出画するためのモニタとがそれぞれ設置されている。ツイストペア線には、デジタル映像信号を周波数スペクトラム拡散させた搬送波に変換して当該ツイストペア線に重畳するための玄関子機側デジタル信号重畳・分離器と、玄関子機側デジタル信号重畳・分離器を経由して周波数スペクトラム拡散された搬送波をデジタル映像信号に変換するための居室親機側デジタル信号重畳・分離器とをそれぞれ備えている。
【００１１】
また、本発明の第３の態様であるインターホンシステムは、本発明の第１の態様において、可変型減衰器は、特定の周波数に対して大きな減衰量を得るために同調波長が波長λｇの１／４程度となる先端開放スタブフィルタが接続されるものである。
【００１２】
また、本発明の第４の態様であるインターホンシステムは、本発明の第１の態様又は第２の態様において、集合住宅又は戸建住宅の電力線を、同一周波数帯域の電力線搬送波通信に使用している場合に、集合玄関機、制御機、デジタル信号重畳・分離器、玄関子機及び居室親機のそれぞれの商用交流電源供給ラインにラインフィルタを備えたものである。
【００１３】
また、本発明の第５の態様であるインターホンシステムは、本発明の第４の態様において、当該インターホンシステムは、デジタル信号重畳・分離器及び電力線搬送波通信モデムを経由して電力線搬送波通信を行うための電力線と接続するものである。
【００１４】
また、本発明の第６の態様であるインターホンシステムは、本発明の第１の態様乃至第５の態様において、カメラの代わりに、インターネットを接続するものである。
【発明の効果】
【００１５】
本発明のインターホンシステムをマンション等の集合住宅に設置するにあたり、集合玄関機側のカメラにて撮像された映像を居室親機側のモニタに出画させるために、集合玄関機側では、カメラにて撮像された映像のデジタル映像信号について周波数スペクトラム拡散させた搬送波の電力レベルを調節し、特定の周波数に対して大きな減衰量を得るために、先端開放スタブフィルタの同調波長を波長λｇの１／４程度とした後、ツイストペア線に重畳することができる。一方、居室親機側では、ツイストペア線に重畳され高速デジタルデータ伝送で伝送されてくる搬送波の特定の周波数に対して大きな減衰量を得るために、先端開放スタブフィルタの同調波長を波長λｇの１／４程度とし、その搬送波の電力レベルを調節した後、デジタル映像信号に変換することができる。このような信号処理により、インターホンシステムが大規模な集合住宅に設置されるようにツイストペア線の線路長が長距離である、或いは小規模な集合住宅に設置されるようにツイストペア線の線路長が短距離である場合であっても、その線路長の相違に拘わらず搬送波の電力レベルを最適に設定することができ、カメラにて撮像された映像のデジタル映像信号を、ツイストペア線に誘起された短波放送等の外来電波からの妨害波を受けずに、安定した通信速度の高速デジタルデータ伝送でモニタへと伝送可能になり、良好な画質の映像を出画させることができる。
【００１６】
また、本発明のインターホンシステムを戸建住宅に設置するにあたり、玄関子機側のカメラにて撮像された映像を居室親機側のモニタに出画させるために、玄関子機側では、カメラにて撮像された映像のデジタル映像信号について周波数スペクトラム拡散させた搬送波の電力レベルを調節してツイストペア線に重畳することができる。一方、居室親機側では、ツイストペア線に重畳され高速デジタルデータ伝送で伝送されてくる搬送波の電力レベルを調節した後、デジタル映像信号に変換することができる。このような信号処理により、カメラにて撮像された映像のデジタル映像信号を、ツイストペア線に誘起された短波放送等の外来電波からの妨害波を受けずに、安定した通信速度の高速デジタルデータ伝送でモニタへと伝送可能になり、良好な画質の映像を出画させることができる。
【００１７】
また、本発明のインターホンシステムによれば、集合住宅又は戸建住宅の電力線である商用交流電源供給ラインの同一周波数帯域を使用して電力線搬送波通信を行うにあたり、カメラにて撮像された映像のデジタル映像信号を、商用交流電源供給ラインを経由して高速デジタルデータ伝送でモニタへと伝送させることができるばかりでなく、この商用交流電源供給ラインに接続されたラインフィルタの作用により、デジタル映像信号について周波数スペクトラム拡散させた搬送波の漏洩が防止され、さらには、商用交流電源供給ラインに誘起された他の搬送波の影響を抑制することができる。
【００１８】
さらに、本発明のインターホンシステムによれば、ツイストペア線又は商用交流電源供給ラインを経由して高速デジタルデータ伝送される搬送波として、カメラにて撮像された像のデジタル映像信号について周波数スペクトラム変調させた搬送波だけでなく、このカメラに代わって、インターネットを経由して伝送されてくるデジタルデータについて周波数スペクトラム変調させた搬送波を適用することもできる。
【発明を実施するための最良の形態】
【００１９】
以下、本発明のインターホンシステムを適用した最良の実施の形態例について、図面を参照して説明する。
【００２０】
図１は、本発明の第１の実施例によるインターホンシステムの構成を示すシステム説明図である。このインターホンシステムは、マンション等の集合住宅に設置される集合住宅用の当該システムであり、集合住宅のエントランス（以下、集合玄関という。）に設置される集合玄関機１と、集合住宅の各住戸に設置され個別の住戸アドレスが割り当てられた複数の居室親機２ａ、２ｂ、・・・と、集合住宅の共用部に設置され、ツイストペア線Ｌ1を経由して接続された集合玄関機１及びツイストペア線Ｌ2を経由して接続、例えば、バス接続された複数の居室親機２ａ、２ｂ、・・・の間でアナログのデータ信号や音声信号を送受信して呼び出し、通話を成立させるための制御機３と、制御機３の両端間に接続され、当該制御機にて信号処理を行うことができない例えば、高速なデジタルデータをバイパスするための結合器４とを有している。また、集合玄関機１、複数の居室親機２ａ、２ｂ、・・・及び制御機３はそれぞれ、集合住宅の電力線である商用交流電源供給ラインＬ3からの電源供給を受電して動作するものであり、商用交流電源供給ラインＬ3及び集合玄関機１、複数の居室親機２ａ、２ｂ、・・・、制御機３の間にはそれぞれ、ラインフィルタ５、６ａ、６ｂ、・・・、７が接続されている。このラインフィルタ５、６ａ、６ｂ、・・・、７はそれぞれ、商用交流電源供給ラインＬ3に重畳される後述するデジタル映像信号を周波数スペクトラム拡散させた搬送波の漏洩を防止する機能と、商用交流電源供給ラインＬ3に誘起される他の搬送波の影響を抑制する機能とが備えられている。なお、制御機３及び複数の居室親機２ａ、２ｂ、・・・の間の接続は、ツイストペア線Ｌ2を経由したバス接続の態様に限定されるものでなく、例えば、ツイストペア線Ｌ2を経由して渡り配線で接続することもできる。
【００２１】
また、集合玄関機１側には、カメラ８、映像Ａ／Ｄ変換器９、デジタル信号重畳・分離器（以下、集合玄関機側デジタル信号重畳・分離器という。）１０、可変型減衰器（以下、集合玄関機側可変型減衰器という。）１１、先端開放スタブフィルタ（以下、集合玄関機側先端開放スタブフィルタという。）１２、電力線搬送波通信モデム（以下、集合玄関機側電力線搬送波通信モデムという。）１３とがそれぞれ設置されている。
【００２２】
ここで、カメラ８は、集合玄関機１に外設され、例えば、集合玄関機１にて呼出操作を行った来訪者の映像や集合玄関の周囲近傍の映像を撮像するためのものであり、映像Ａ／Ｄ変換器９は、カメラ８にて撮像された映像のアナログ映像信号をデジタル映像信号にアナログ／デジタル変換するためのものである。このカメラ８としては、例えば、ＣＣＤ、ＣＭＯＳ等の各種の撮像素子が適用される。
【００２３】
集合玄関機側デジタル信号重畳・分離器１０は、映像Ａ／Ｄ変換器９を経由してアナログ／デジタル変換されたデジタル映像信号を、集合玄関機側可変型減衰器１１、集合玄関機側先端開放スタブフィルタ１２を順次経由してツイストペア線Ｌ1に重畳させる、又は集合玄関機側電力線搬送波通信モデム１３を経由して商用交流電源供給ラインＬ3に重畳させるにあたり、このデジタル映像信号について周波数スペクトラム拡散させた搬送波を生成するためのものである。
【００２４】
集合玄関機側可変型減衰器１１は、集合玄関機側デジタル信号重畳・分離器１０を経由して周波数スペクトラム拡散された搬送波の電力レベルを調節するためのものであり、集合玄関機側先端開放スタブフィルタ１２は、集合玄関機側可変型減衰器１１を経由して電力レベルが調節された搬送波のうち短波放送等の外来電波による影響で安定した通信を困難とする特定の周波数の波長λに対して大きな減衰量を得るために、同調波長を波長λｇの１／４程度とするものである。
【００２５】
集合玄関機側電力線搬送波通信モデム１３は、商用交流電源供給ラインＬ3を、同一周波数帯域の電力線搬送波通信に使用している場合に、集合玄関機側デジタル信号重畳・分離器１０を経由して周波数スペクトラム拡散された搬送波を商用交流電源供給ラインＬ3に重畳するためのものである。
【００２６】
また、居室親機２ａ、２ｂ、・・・側には、先端開放スタブフィルタ（以下、居室親機側先端開放スタブフィルタという。）１４ａ、１４ｂ、・・・、可変型減衰器（以下、居室親機側可変型減衰器という。）１５ａ、１５ｂ、・・・、電力線搬送波通信モデム（以下、居室親機側電力線搬送波通信モデムという。）１６ａ、１６ｂ、・・・、デジタル信号重畳・分離器（以下、居室親機側デジタル信号重畳・分離器という。）１７ａ、１７ｂ、・・・、映像Ｄ／Ａ変換器１８ａ、１８ｂ、・・・、モニタ１９ａ、１９ｂ、・・・がそれぞれ設置されている。
【００２７】
ここで、居室親機側先端開放スタブフィルタ１４ａ、１４ｂ、・・・はそれぞれ、ツイストペア線Ｌ2に重畳され高速デジタルデータ伝送で伝送されてくる搬送波のうち短波放送等の外来電波による影響で安定した通信を困難とする特定の周波数の波長λに対して大きな減衰量を得るために、同調波長の波長λｇの１／４程度とするものであり、居室親機側可変型減衰器１５ａ、１５ｂ、・・・はそれぞれ、居室親機側先端開放スタブフィルタ１４ａ、１４ｂ、・・・を経由した搬送波の電圧レベルを調節するためのものである。
【００２８】
なお、集合玄関機側先端開放スタブフィルタ１２、居室親機側先端開放スタブフィルタ１４ａ、１４ｂ、・・・はそれぞれ、同軸ケーブル等のケーブルによって構成され、当該ケーブルの誘電率を「ε」とすると、「波長λ」と「波長λｇ」との関係は以下の式（１）で表される。
【００２９】
【数１】
2008061179.tif 000003
居室親機側電力線搬送波通信モデム１６ａ、１６ｂ、・・・はそれぞれ、商用交流電源供給ラインＬ3を同一周波数帯域の電力線搬送波通信に使用している場合に、商用交流電源供給ラインＬ3に重畳され高速デジタルデータ伝送で伝送されてくる搬送波を受信するためのものである。
【００３０】
居室親機側デジタル信号重畳・分離器１７ａ、１７ｂ、・・・はそれぞれ、居室親機側可変型減衰器１５ａ、１５ｂ、・・・を経由して電圧レベルが調節された搬送波、又は居室親機側電力線搬送波通信モデム１６ａ、１６ｂ、・・・を経由して伝送されてくる搬送波を、デジタル映像信号に変換するためのものである。
【００３１】
映像Ｄ／Ａ変換器１８ａ、１８ｂ、・・・はそれぞれ、居室親機側デジタル信号重畳・分離器１７ａ、１７ｂ、・・・を経由して変換されたデジタル映像信号をアナログ映像信号にデジタル／アナログ変換するためのものであり、モニタ１９ａ、１９ｂ、・・・はそれぞれ、居室親機２ａ、２ｂ、・・・に外設され、映像Ｄ／Ａ変換器１８ａ、１８ｂ、・・・を経由してデジタル／アナログ変換されたアナログ映像信号をもとに、カメラ８にて撮像された映像を出画するためのものである。このモニタ１９ａ、１９ｂ、・・・としては、例えば、ＬＣＤ、有機ＥＬディスプレイ等の各種の表示媒体が適用される。
【００３２】
さらに、集合玄関機側デジタル信号重畳・分離器１０及び居室親機側デジタル信号重畳・分離器１７ａ、１７ｂ、・・・はそれぞれ、集合住宅の電力線である商用交流電源供給ラインＬ3からの電源供給を受電して動作するものであり、商用交流電源供給ラインＬ3及び集合玄関機側デジタル信号重畳・分離器１０、居室親機側デジタル信号重畳・分離器１７ａ、１７ｂ、・・・の間にはそれぞれ、前述のラインフィルタ５、６ａ、６ｂ、・・・、７と同一の機能を備えたラインフィルタ２０、２１ａ、２１ｂ、・・・が接続されている。
【００３３】
このように構成された本発明の第１の実施例によるインターホンシステムにおいて、以下、具体的な動作について、図１及び図３をそれぞれ参照して説明する。なお、図３は、本発明の第１の実施例において伝送されるアナログ信号及び高速なデジタル信号の周波数帯域をそれぞれ示す説明図である。
【００３４】
最初に、本発明の第１の実施例における第１の動作として、図１に示す制御機３を介しツイストペア線Ｌ1、Ｌ2を経由して接続された集合玄関機１及び複数の居室親機２ａ、２ｂ、・・・のうち特定の当該居室親機の間でアナログのデータ信号と音声信号とを送受信して呼び出し、通話を成立させる動作と、カメラ８にて撮像された映像のデジタル映像信号を、ツイストペア線Ｌ1、Ｌ2を経由して高速デジタルデータ伝送で複数のモニタ１９ａ、１９ｂ、・・・のうち特定の当該モニタに伝送して出画させる動作について説明する。
【００３５】
図１に示す複数の居室親機２ａ、２ｂ、・・・がそれぞれ設置される集合住宅の各住戸のうち、特定の住戸内に在室中の居住者を呼び出す、ここでは、居室親機２ａが設置される住戸内に在室中の居住者を呼び出すために、集合玄関に居る来訪者が集合玄関機１にて所定の呼出操作を行うと、呼出先を指定するための住戸アドレスを付与したアナログのデータ信号である呼出信号Ｓ1が生成されるとともに、カメラ８、映像Ａ／Ｄ変換器９、集合玄関機側デジタル信号重畳・分離器１０、及び集合玄関機側可変型減衰器１１がそれぞれ能動となるように制御（詳述せず。）され、来訪者の映像や集合玄関の周囲近傍の映像の撮像及び当該撮像された映像の信号処理の動作が開始する。なお、集合玄関機側先端開放スタブフィルタ１２については、集合玄関機１の制御の有無を問わずして通常、動作するものである。
【００３６】
また、集合玄関機１にて生成された呼出信号Ｓ1は、ツイストペア線Ｌ1を経由して制御機３及び結合器４にそれぞれ伝送される。制御機３は、ツイストペア線Ｌ1を経由して伝送されてきた呼出信号Ｓ1に付与されている住戸アドレスをもとに、集合玄関機１から居室親機２ａへの呼び出しがあることを検出するとともに、この呼出信号Ｓ1を、ツイストペア線Ｌ2を経由して複数の居室親機２ａ、２ｂ、・・・にそれぞれ送出する。一方、結合器４は、ツイストペア線Ｌ1を経由して伝送されてきた呼出信号Ｓ1が、図３に示す低周波帯域のアナログのデータ信号であるため、通常は呼出信号Ｓ1が無効な信号であると判断して何ら信号処理を行わずに破棄する。
【００３７】
複数の居室親機２ａ、２ｂ、・・・はそれぞれ、ツイストペア線Ｌ2を経由して伝送されてきた呼出信号Ｓ1に付与されている住戸アドレスと自親機に割り当てられている住戸アドレスとを照合し、当該アドレスが一致した場合にのみ集合玄関機１からの呼び出しがある旨の所定の呼出報知を行うとともに、自住戸の居室親機側可変型減衰器１５ａ、１５ｂ、・・・、居室親機側デジタル信号重畳・分離器１７ａ、１７ｂ、・・・、映像Ｄ／Ａ変換器１８ａ、１８ｂ、・・・、及びモニタ１９ａ、１９ｂ、・・・がそれぞれ能動となるように制御（詳述せず。）して、カメラ８にて撮像された来訪者の映像や集合玄関の周囲近傍の映像の出画及び当該出画させる映像の信号処理の動作を開始する。ここでは、呼出先の居室親機２ａのみ当該アドレスが一致し、所定の呼出報知が行われるとともに、居室親機側可変型減衰器１５ａ、居室親機側デジタル信号重畳・分離器１７ａ、映像Ｄ／Ａ変換器１８ａ、及びモニタ１９ａがそれぞれ能動となる。なお、居室親機側先端開放スタブフィルタ１４ａ、１４ｂ、・・・については、居室親機２ａ、２ｂ、・・・の制御の有無を問わずして通常、動作するものである。
【００３８】
ここで、カメラ８にて撮像された来訪者の映像や集合玄関の周囲近傍の映像のアナログ映像信号Ｓ2は、映像Ａ／Ｄ変換器９を経由してデジタル映像信号Ｓ3にアナログ／デジタル変換された後、集合玄関機側デジタル信号重畳・分離器１０に送出される。
【００３９】
集合玄関機側デジタル信号重畳・分離器１０は、映像Ａ／Ｄ変換器９を経由してアナログ／デジタル変換されたデジタル映像信号Ｓ3を周波数スペクトラム拡散させて搬送波Ｓ4を生成する。この搬送波Ｓ4は、集合玄関機側可変型減衰器１１を経由してその電力レベルが調節され、集合玄関機側先端開放スタブフィルタ１２の同調波長が波長λｇの１／４程度となるように特定の周波数の波長λに対して大きな減衰量が得られた搬送波Ｓ5に信号処理された後、ツイストペア線Ｌ1に重畳される。また、ツイストペア線Ｌ1に重畳された搬送波Ｓ5は、制御機３及び結合器４にそれぞれ高速デジタルデータ伝送で伝送される。
【００４０】
制御機３は、ツイストペア線Ｌ1を経由して高速デジタルデータ伝送で伝送されてきた搬送波Ｓ5が、図３に示す短波帯域の周波数スペクトラム拡散変調された高速なデジタル信号であり周波数が高すぎるため、ツイストペア線Ｌ2に送出することができない。このため、制御機３は、ツイストペア線Ｌ1に重畳された搬送波Ｓ5がツイストペア線Ｌ2に重畳されるように結合器４を制御することにより、ツイストペア線Ｌ1に重畳された搬送波Ｓ5は、結合器４、ツイストペア線Ｌ2を経由して（複数の）居室親機側先端開放スタブフィルタ１４ａ、１４ｂ、・・・にそれぞれ高速デジタルデータ伝送で伝送される。
【００４１】
また、ツイストペア線Ｌ2に重畳され高速デジタルデータ伝送で伝送されてきた搬送波Ｓ5は、（複数の）居室親機側先端開放スタブフィルタ１４ａ、１４ｂ、・・の同調波長が波長λｇの１／４程度となるように特定の周波数の波長λに対して大きな減衰量を得られた搬送波Ｓ6に信号処理された後、（複数の）居室親機側可変型減衰器１５ａ、１５ｂ、・・・にそれぞれ送出される。
【００４２】
（複数の）居室親機側可変型減衰器１５ａ、１５ｂ、・・・のうち能動とされた居室親機側可変型減衰器１５ａは、居室親機側スタブフィルタ１４ａを経由して信号処理された搬送波Ｓ6の電力レベルを調節した後、居室親機側デジタル信号重畳・分離器１７ａに送出する。また、居室親機側デジタル信号重畳・分離器１７ａは、居室親機側可変型減衰器１７ａを経由してその電力レベルが調節された搬送波Ｓ6を、デジタル映像信号Ｓ3に変換する。このデジタル映像信号Ｓ3は、映像Ｄ／Ａ変換器１８ａを経由してアナログ映像信号Ｓ2にデジタル／アナログ変換された後、モニタ１９ａに送出されることにより、カメラ８にて撮像された来訪者の映像や集合玄関の周囲近傍の映像は、ツイストペア線Ｌ1、Ｌ2に誘起された短波放送等の外来電波からの妨害波を受けずに良好な画質でモニタ１９ａに出画開始されることになる。
【００４３】
なお、居室親機側可変型減衰器１５ａを除く他の居室親機側可変型減衰器１５ｂ、・・・は、それぞれが非能動に制御されているため、前述の居室親機側可変型減衰器１５ａのような信号処理は行われずに、通常は搬送波Ｓ6を破棄する。
【００４４】
また、居室親機２ａにて行われた所定の呼出報知及びモニタ１９ａに出画開始された映像をもとに、集合玄関に居る来訪者からの呼び出しがあることを当該来訪者の識別と併せて確認できた呼出先の居住者が、居室親機２ａにて所定の応答操作を行うと、この応答操作を検出した制御機３の制御（詳述せず。）により、居室親機２ａの通話機能とツイストペア線Ｌ2、制御機３、ツイストペア線Ｌ1を経由して集合玄関機１の通話機能との間で通話路が形成され、この形成された通話路を経由して、図３に示す低周波帯域のアナログの音声信号を送受信させることで通話が成立する。
【００４５】
前述までの説明から明らかなように、本発明の第１の実施例における第１の動作によれば、制御機３を介しツイストペア線Ｌ1、Ｌ2を経由して接続された集合玄関機１及び複数の居室親機２ａ、２ｂ、・・・のうち特定の当該居室親機の間でアナログのデータ信号と音声信号とを送受信して呼び出し、通話を成立させることができる。また、集合玄関機１側では、カメラ８にて撮像された映像のデジタル映像信号について周波数スペクトラム拡散させた搬送波の電力レベルを調節し、特定の周波数（の波長λ）に対して大きな減衰量を得るために、同調波長が波長λｇの１／４程度となるように信号処理した後、ツイストペア線Ｌ1に重畳することができる。一方、居室親機２ａ、２ｂ、・・・側では、ツイストペア線Ｌ2に重畳され高速デジタルデータ伝送で伝送されてきた搬送波の特定の周波数（の波長λ）に対して大きな減衰量を得るために、同調波長が波長λｇの１／４程度となるように信号処理し、その搬送波の電力レベルを調節した後、デジタル映像信号に変換することができる。このような信号処理により、インターホンシステムが大規模な集合住宅に設置されるようにツイストペア線Ｌ1、Ｌ2の総線路長が長距離となる、或いは小規模な集合住宅に設置されるようにツイストペア線Ｌ1、Ｌ2の総線路長が短距離となる場合であっても、その線路長の相違に拘わらず搬送波の電力レベルを最適に設定することができ、カメラ８にて撮像された映像のデジタル映像信号は、ツイストペア線Ｌ1、Ｌ2に誘起された短波放送等の外来電波からの妨害波を受けずに、安定した通信速度の高速デジタルデータ伝送で（複数の）モニタ１９ａ、１９ｂ、・・・のうち特定の当該モニタへと伝送可能になり、良好な画質の映像として出画させることができる。
【００４６】
次に、本発明の第１の実施例における第２の動作として、図１に示す制御機３を介しツイストペア線Ｌ1、Ｌ2を経由して接続された集合玄関機１及び複数の居室親機２ａ、２ｂ、・・・のうち特定の当該居室親機の間でアナログのデータ信号と音声信号とを送受信して呼び出し、通話を成立させる動作と、カメラ８にて撮像された映像のデジタル映像信号を、商用交流電源供給ラインＬ3を経由して高速デジタルデータ伝送で複数のモニタ１９ａ、１９ｂ、・・・のうち特定の当該モニタに伝送して出画させる動作について説明する。
【００４７】
図１に示す商用交流電源供給ラインＬ3を集合住宅の電力線として使用している場合において、この商用交流電源供給ラインＬ3に重畳されている商用交流電源は、各ラインフィルタ５、６ａ、６ｂ、・・・、７、２０、２１ａ、２１ｂ、・・・を経由して集合玄関機１、複数の居室親機２ａ、２ｂ、・・・、制御機３、集合玄関機側デジタル信号重畳・分離器１０、及び居室親機側デジタル信号重畳・分離器１７ａ、１７ｂ、・・・にそれぞれ供給され動作電源となる。
【００４８】
ここで、複数の居室親機２ａ、２ｂ、・・・がそれぞれ設置される集合住宅の各住戸のうち、特定の住戸内に在室中の居住者を呼び出す、ここでは、前述の第１の動作と同様、居室親機２ａが設置される住戸内に在室中の居住者を呼び出すために、集合玄関に居る来訪者が集合玄関機１にて所定の呼出操作を行うと、呼出先を指定するための住戸アドレスを付与したアナログのデータ信号である呼出信号Ｓ1が生成されるとともに、カメラ８、映像Ａ／Ｄ変換器９、集合玄関機側デジタル信号重畳・分離器１０、集合玄関機側電力線搬送波通信モデム１３がそれぞれ能動となるように制御（詳述せず。）され、来訪者の映像や集合玄関の周囲近傍の映像の撮像及び当該撮像された映像の信号処理の動作が開始する。なお、集合玄関機１にて生成された呼出信号Ｓ1に関する伝送の動作については、前述の第１の動作と同様であるため、その説明は省略する。
【００４９】
複数の居室親機２ａ、２ｂ、・・・はそれぞれ、ツイストペア線Ｌ2を経由して伝送されてきた呼出信号Ｓ1に付与されている住戸アドレスと自親機に割り当てられている住戸アドレスとを照合し、当該アドレスが一致した場合にのみ集合玄関機１からの呼び出しがある旨の所定の呼出報知を行うとともに、自住戸の居室親機側電力線搬送波通信モデム１６ａ、１６ａ、・・・、居室親機側デジタル信号重畳・分離器１７ａ、１７ｂ、・・・、映像Ｄ／Ａ変換器１８ａ、１８ｂ、・・・、及びモニタ１９ａ、１９ｂ、・・・がそれぞれ能動となるように制御（詳述せず。）して、カメラ８にて撮像された来訪者の映像や集合玄関の周囲近傍の映像の出画及び当該出画させる映像の信号処理の動作を開始する。ここでは、呼出先の居室親機２ａのみ当該アドレスが一致し、所定の呼出報知が行われるとともに、居室親機側電力線搬送波通信モデム１６ａ、居室親機側デジタル信号重畳・分離器１７ａ、映像Ｄ／Ａ変換器１８ａ、及びモニタ１９ａがそれぞれ能動となる。
【００５０】
ここで、カメラ８にて撮像された来訪者の映像や集合玄関の周囲近傍の映像のアナログ映像信号Ｓ2は、映像Ａ／Ｄ変換器９を経由してデジタル映像信号Ｓ3にアナログ／デジタル変換された後、集合玄関機側デジタル信号重畳・分離器１０に送出される。
【００５１】
集合玄関機側デジタル信号重畳・分離器１０は、映像Ａ／Ｄ変換器９を経由してアナログ／デジタル変換されたデジタル映像信号Ｓ3について周波数スペクトラム拡散させた搬送波Ｓ4を生成する。この搬送波Ｓ4は、集合玄関機側電力線搬送波通信モデム１３を経由して商用交流電源供給ラインＬ3に重畳される。
【００５２】
また、商用交流電源供給ラインＬ3に重畳された搬送波Ｓ4は、当該商用交流電源供給ラインに接続されたラインフィルタ５、６ａ、６ｂ、・・・、７、２０、２１ａ、２１ｂ、・・・にそれぞれ伝送される。ここで、各ラインフィルタ５、６ａ、６ｂ、・・・、７、２０、２１ａ、２１ｂ、・・・はそれぞれ、集合玄関機１、複数の居室親機２ａ、２ｂ、・・・、制御機３、集合玄関機側デジタル信号重畳・分離器１０、及び（複数の）居室親機側デジタル信号重畳・分離器１７ａ、１７ｂ、・・・への搬送波Ｓ4の漏洩を防止することができるばかりでなく、商用交流電源供給ラインＬ3に誘起された他の搬送波の影響を抑制することができる。
【００５３】
（複数の）居室親機側電力線搬送波通信モデム１６ａ、１６ｂ、・・・のうち能動とされた居室親機側電力線搬送波通信モデム１６ａは、商用交流電源供給ラインＬ3に重畳され高速デジタルデータ伝送で伝送されてきた搬送波Ｓ4を受信して居室親機側デジタル信号重畳・分離器１７ａに送出する。なお、居室親機側電力線搬送波通信モデム１６ａを除く他の居室親機側電力線搬送波通信モデム１６ｂ、・・・は、それぞれが非能動に制御されているため、前述の居室親機側電力線搬送波通信モデム１６ａのような信号処理は行われずに、通常は搬送波Ｓ4を受信しない。
【００５４】
居室親機側デジタル信号重畳・分離器１７ａは、居室親機側電力線搬送波通信モデム１６ａを経由して伝送されてきた搬送波Ｓ4を、デジタル映像信号Ｓ3に変換する。このデジタル映像信号Ｓ3は、映像Ｄ／Ａ変換器１８ａを経由してアナログ映像信号Ｓ2にデジタル／アナログ変換された後、モニタ１９ａに送出されることにより、カメラ８にて撮像された来訪者の映像や集合玄関の周囲近傍の映像の撮像は、商用交流電源供給ラインＬ3に誘起された他の搬送波の影響を受けずに良好な画質でモニタ１９ａに出画開始されることになる。
【００５５】
また、前述の第１の動作と同様、居室親機２ａにて行われた所定の呼出報知及びモニタ１９ａに出画開始された映像をもとに、集合玄関に居る来訪者からの呼び出しがあることを当該来訪者の識別と併せて確認できた呼出先の居住者が、居室親機２ａにて所定の応答操作を行うと、この応答操作を検出した制御機３の制御（詳述せず。）により、居室親機２ａの通話機能とツイストペア線Ｌ2、制御機３、ツイストペア線Ｌ1を経由して集合玄関機１の通話機能との間で通話路が形成され、この形成された通話路を経由して、図３に示す低周波帯域のアナログの音声信号を送受信させることで通話が成立する。
【００５６】
前述までの説明から明らかなように、本発明の第１の実施例における第２の動作によれば、制御機３を介しツイストペア線Ｌ1、Ｌ2を経由して接続された集合玄関機１及び複数の居室親機２ａ、２ｂ、・・・のうち特定の当該居室親機の間でアナログのデータ信号と音声信号とを送受信して呼び出し、通話を成立させることができる。また、集合玄関機１側では、カメラ８にて撮像された映像のデジタル映像信号について周波数スペクトラム拡散させた搬送波を、集合住宅の電力線である同一周波数帯域を使用した商用交流電源ラインＬ3に重畳することができる。一方、居室親機２ａ、２ｂ、・・・側では、商用交流電源ラインＬ3に重畳され高速デジタルデータ伝送で伝送されてきた搬送波を、デジタル映像信号に変換することができる。このような信号処理により、カメラ８にて撮像された映像のデジタル映像信号は、商用交流電源供給ラインＬ3に誘起された他の搬送波の影響を受けずに、安定した通信速度の高速デジタルデータ伝送で（複数の）モニタ１９ａ、１９ｂ、・・・のうち特定の当該モニタへと伝送可能になり、良好な画質の映像として出画させることができる。
【００５７】
次に、本発明のインターホンシステムを適用した別途の実施の形態例について、以下、本発明の第２の実施例によるインターホンシステムとして、図面を参照して説明する。
【００５８】
図２は、本発明の第２の実施例によるインターホンシステムの構成を示すシステム説明図である。このインターホンシステムは、戸建住宅に設置される当該システムであり、戸建住宅のエントランス（以下、住戸玄関という。）に設置される玄関子機５１と、住戸内に設置され、ツイストペア線Ｌ51を経由して接続された玄関子機５１との間でアナログのデータ信号や音声信号を送受信して呼び出し、通話を成立させるための居室親機５２とを有している。また、玄関子機５１、居室親機５２はそれぞれ、戸建住宅の電力線である商用交流電源供給ラインＬ52からの電源供給を受電して動作するものであり、商用交流電源供給ラインＬ3及び玄関子機５１、居室親機５２の間にはそれぞれ、ラインフィルタ５３、５４が接続されている。このラインフィルタ５３、５４はそれぞれ、商用交流電源供給ラインＬ52に重畳される後述するデジタル映像信号について周波数スペクトラム拡散させた搬送波の漏洩を防止する機能と、商用交流電源供給ラインＬ52に誘起される他の搬送波の影響を抑制する機能とが備えられている。
【００５９】
また、玄関子機５１側には、カメラ５５、映像Ａ／Ｄ変換器５６、デジタル信号重畳・分離器（以下、玄関子機側デジタル信号重畳・分離器という。）５７、及び電力線搬送波通信モデム（以下、玄関子機側電力線搬送波通信モデムという。）５８がそれぞれ設置されている。
【００６０】
ここで、カメラ５５は、玄関子機５１に外設され、例えば、玄関子機５１にて呼出操作を行った来訪者の映像や住戸玄関の周囲近傍の映像を撮像するためのものであり、映像Ａ／Ｄ変換器５６は、カメラ５５にて撮像された映像のアナログ映像信号をアナログ／デジタル変換するためのものである。このカメラ５５としては、例えば、ＣＣＤ、ＣＭＯＳ等の各種の撮像素子が適用される。
【００６１】
玄関子機側デジタル信号重畳・分離器５７は、映像Ａ／Ｄ変換器５６を経由してアナログ／デジタル変換されたデジタル映像信号を、ツイストペア線Ｌ51に重畳させる、又は玄関子機側電力線搬送波通信モデム５８を経由して商用交流電源供給ラインＬ52に重畳させるにあたり、このデジタル映像信号について周波数スペクトラム拡散させた搬送波を生成するためのものである。
【００６２】
玄関子機側電力線搬送波通信モデム５８は、商用交流電源供給ラインＬ52を同一周波数帯域の電力線搬送波通信に使用している場合に、玄関子機側デジタル信号重畳・分離器５７を経由して周波数スペクトラム拡散された搬送波を商用交流電源供給ラインＬ3に重畳するためのものである。
【００６３】
また、居室親機５２側には、居室親機側電力線搬送波通信モデム５９、居室親機側デジタル信号重畳・分離器６０、映像Ｄ／Ａ変換器６１、及びモニタ６２がそれぞれ設置されている。
【００６４】
ここで、居室親機側電力線搬送波通信モデム５９は、商用交流電源供給ラインＬ52を同一周波数帯域の電力線搬送波通信に使用している場合に、商用交流電源供給ラインＬ52に重畳され高速デジタルデータ伝送で伝送されてくる搬送波を受信するためのものである。
【００６５】
居室親機側デジタル信号重畳・分離器６０は、ツイストペア線Ｌ51に重畳され高速デジタルデータ伝送で伝送されてくる搬送波、又は居室親機側電力線搬送波通信モデム５９を経由して伝送されてくる搬送波を、デジタル映像信号に変換するためのものである。
【００６６】
映像Ｄ／Ａ変換器６１は、居室親機側デジタル信号重畳・分離器６０を経由して変換されたデジタル映像信号をアナログ映像信号にデジタル／アナログ変換するためのものであり、モニタ６２は、居室親機５２に外設され、映像Ｄ／Ａ変換器６１を経由してデジタル／アナログ変換されたアナログ映像信号をもとに、カメラ５５にて撮像された映像を出画するためのものである。このモニタ６２としては、例えば、ＬＣＤ、有機ＥＬディスプレイ等の各種の表示媒体が適用される。
【００６７】
さらに、玄関子機側デジタル信号重畳・分離器５７及び居室親機側デジタル信号重畳・分離器６０はそれぞれ、商用交流電源供給ラインＬ52からの電源供給を受電して動作するものであり、商用交流電源供給ラインＬ52及び玄関子機側デジタル信号重畳・分離器５７、居室親機側デジタル信号重畳・分離器６０の間にはそれぞれ、前述のラインフィルタ５３、５４と同一の機能を備えたラインフィルタ６３、６４が接続されている。
【００６８】
このように構成された本発明の第２の実施例によるインターホンシステムにおいて、以下、具体的な動作について、図２及び図３をそれぞれ参照して説明する。
【００６９】
最初に、本発明の第２の実施例における第１の動作として、図２に示すツイストペア線Ｌ51を経由して接続された玄関子機５１及び居室親機５２の間でアナログのデータ信号と音声信号とを送受信して呼び出し、通話を成立させる動作と、カメラ５５にて撮像された映像のデジタル映像信号を、ツイストペア線Ｌ51を経由して高速デジタルデータ伝送でモニタ６２に伝送して出画させる動作について説明する。
【００７０】
図２に示す居室親機５２が設置される住戸内に在室中の居住者を呼び出すために、住戸玄関に居る来訪者が玄関子機５１にて所定の呼出操作を行うと、アナログのデータ信号である呼出信号Ｓ51が生成されるとともに、カメラ５５、映像Ａ／Ｄ変換器５６、及び玄関子機側デジタル信号重畳・分離器５７がそれぞれ能動となるように制御（詳述せず。）され、来訪者の映像や住戸玄関の周囲近傍の映像の撮像及び当該撮像された映像の信号処理の動作が開始する。また、玄関子機５１にて生成された呼出信号Ｓ51は、ツイストペア線Ｌ51を経由して居室親機５２に伝送される。
【００７１】
居室親機５２は、ツイストペア線Ｌ51を経由して伝送されてきた呼出信号Ｓ51を受信すると、玄関子機５１からの呼び出しがある旨の所定の呼出報知を行うとともに、居室親機側デジタル信号重畳・分離器６０、映像Ｄ／Ａ変換器６１、及びモニタ６２がそれぞれ能動となるように制御（詳述せず。）して、カメラ５５にて撮像された来訪者の映像や住戸玄関の周囲近傍の映像の出画及び当該出画させる映像の信号処理の動作を開始する。
【００７２】
ここで、カメラ５５にて撮像された来訪者の映像や住戸玄関の周囲近傍の映像の撮像であるアナログ映像信号Ｓ52は、映像Ａ／Ｄ変換器５６を経由してデジタル映像信号Ｓ53にアナログ／デジタル変換された後、玄関子機側デジタル信号重畳・分離器５７に送出される。
【００７３】
玄関子機側デジタル信号重畳・分離器５７は、映像Ａ／Ｄ変換器５６を経由してアナログ／デジタル変換されたデジタル映像信号Ｓ53について周波数スペクトラム拡散させた搬送波Ｓ54を生成する。この搬送波Ｓ54は、ツイストペア線Ｌ51に重畳された後、居室親機側デジタル信号重畳・分離器６０に高速デジタルデータ伝送で伝送される。
【００７４】
居室親機側デジタル信号重畳・分離器６０は、ツイストペア線Ｌ51に重畳され高速デジタルデータ伝送で伝送されてきた搬送波Ｓ54を、デジタル映像信号Ｓ53に変換する。このデジタル映像信号Ｓ53は、映像Ｄ／Ａ変換器６１を経由してアナログ映像信号Ｓ52にデジタル／アナログ変換された後、モニタ６２に送出されることにより、カメラ５５にて撮像された来訪者の映像や住戸玄関の周囲近傍の映像の撮像は、ツイストペア線Ｌ51に誘起された妨害波を受けずに良好な画質でモニタ６２に出画開始されることになる。
【００７５】
また、居室親機５２にて行われた所定の呼出報知及びモニタ６２に出画された映像をもとに、住戸玄関に居る来訪者からの呼び出しがあることを当該来訪者の識別と併せて確認できた呼出先の居住者が、居室親機５２にて所定の応答操作を行うと、居室親機５２の通話機能とツイストペア線Ｌ51を経由して玄関子機５１の通話機能との間で通話路が形成され、この形成された通話路を経由して、図３に示す低周波帯域のアナログの音声信号を送受信させることで通話が成立する。
【００７６】
前述までの説明から明らかなように、本発明の第２の実施例における第１の動作によれば、ツイストペア線Ｌ51を経由して接続された玄関子機５１及び居室親機５２の間でアナログのデータ信号と音声信号とを送受信して呼び出し、通話を成立させることができる。また、玄関子機５１側では、カメラ５５にて撮像された映像のデジタル映像信号について周波数スペクトラム拡散させた搬送波を、ツイストペア線Ｌ51に重畳することができる。一方、居室親機５２側では、ツイストペア線Ｌ51に重畳され高速デジタルデータ伝送で伝送されてきた搬送波を、デジタル映像信号に変換することができる。このような信号処理により、カメラ５５にて撮像された映像のデジタル映像信号は、ツイストペア線Ｌ51に誘起された妨害波を受けずに、安定した通信速度の高速デジタルデータ伝送でモニタ６２へと伝送可能になり、良好な画質の映像として出画させることができる。
【００７７】
次に、本発明の第２の実施例における第２の動作として、図２に示すツイストペア線Ｌ51を経由して接続された玄関子機５１及び居室親機５２の間でアナログのデータ信号と音声信号とを送受信して呼び出し、通話を成立させる動作と、カメラ５５にて撮像された映像のデジタル映像信号を、商用交流電源供給ラインＬ52を経由して高速デジタルデータ伝送でモニタ６２に伝送して出画させる動作について説明する。
【００７８】
図２に示す商用交流電源供給ラインＬ52を戸建住宅の電力線として使用している場合において、この商用交流電源供給ラインＬ52に重畳されている商用交流電源は、各ラインフィルタ５３、５３、６３、６４を経由して玄関子機５１、居室親機５２、玄関子機側デジタル信号重畳・分離器５７、及び居室親機側デジタル信号重畳・分離器６０にそれぞれ供給され動作電源となる。
【００７９】
ここで、前述の第１の動作と同様、居室親機５２が設置される住戸内に在室中の居住者を呼び出すために、住戸玄関に居る来訪者が玄関子機５１にて所定の呼出操作を行うと、アナログのデータ信号である呼出信号Ｓ51が生成されるとともに、カメラ５５、映像Ａ／Ｄ変換器５６、集合玄関機側デジタル信号重畳・分離器５７、集合玄関機側電力線搬送波通信モデム５８がそれぞれ能動となるように制御（詳述せず。）され、来訪者の映像や住戸玄関の周囲近傍の映像の撮像及び当該撮像された映像の信号処理の動作が開始する。なお、玄関子機５１にて生成された呼出信号Ｓ51に関する伝送の動作については、前述の第１の動作と同様であるため、その説明は省略する。
【００８０】
居室親機５２は、ツイストペア線Ｌ51を経由して伝送されてきた呼出信号Ｓ51を受信すると、玄関子機５１からの呼び出しがある旨の所定の呼出報知を行うとともに、居室親機側電力線搬送波通信モデム５９、居室親機側デジタル信号重畳・分離器６０、映像Ｄ／Ａ変換器６１、及びモニタ６２がそれぞれ能動となるように制御（詳述せず。）して、カメラ５５にて撮像された来訪者の映像や住戸玄関の周囲近傍の映像の出画及び当該出画させる映像の信号処理の動作を開始する。
【００８１】
ここで、カメラ５５にて撮像された来訪者の映像や住戸玄関の周囲近傍の映像の撮像であるアナログ映像信号Ｓ52は、映像Ａ／Ｄ変換器５６を経由してデジタル映像信号Ｓ53にアナログ／デジタル変換された後、玄関子機側デジタル信号重畳・分離器５７に送出される。
【００８２】
玄関子機側デジタル信号重畳・分離器５７は、映像Ａ／Ｄ変換器５６を経由してアナログ／デジタル変換されたデジタル映像信号Ｓ53について周波数スペクトラム拡散させた搬送波Ｓ54を生成する。この搬送波Ｓ54は、玄関子機側電力線搬送波通信モデム５８を経由して商用交流電源供給ラインＬ52に重畳される。
【００８３】
また、商用交流電源供給ラインＬ52に重畳された搬送波Ｓ54は、当該商用交流電源供給ラインに接続されたラインフィルタ５３、５４、６３、６４にそれぞれ伝送される。ここで、各ラインフィルタ５３、５４、６３、６４はそれぞれ、玄関子機５１、居室親機５２、玄関子機側デジタル信号重畳・分離器５７、及び居室親機側デジタル信号重畳・分離器６０への搬送波Ｓ54の漏洩を防止することができるばかりでなく、商用交流電源供給ラインＬ52に誘起された他の搬送波の影響を抑制することができる。
【００８４】
居室親機側電力線搬送波通信モデム５９は、商用交流電源供給ラインＬ52に重畳され高速デジタルデータ伝送で伝送されてきた搬送波Ｓ54を受信して居室親機側デジタル信号重畳・分離器６０に送出する。
【００８５】
居室親機側デジタル信号重畳・分離器６０は、居室親機側電力線搬送波通信モデム５９を経由して伝送されてきた搬送波Ｓ54を、デジタル映像信号Ｓ53に変換する。このデジタル映像信号Ｓ53は、映像Ｄ／Ａ変換器６１を経由してアナログ映像信号Ｓ52にデジタル／アナログ変換された後、モニタ６２に送出されることにより、カメラ５５にて撮像された来訪者の映像や住戸玄関の周囲近傍の映像の撮像は、商用交流電源供給ラインＬ52に誘起された他の搬送波の影響を受けずに良好な画質でモニタ６２に出画開始されることになる。
【００８６】
また、前述の第１の動作と同様、居室親機５２にて行われた所定の呼出報知及びモニタ６２に出画開始された映像をもとに、住戸玄関に居る来訪者からの呼び出しがあることを当該来訪者の識別と併せて確認できた呼出先の居住者が、居室親機５２にて所定の応答操作を行うと、この応答操作を検出した居室親機５２の通話機能とツイストペア線Ｌ51を経由して玄関子機５１の通話機能との間で通話路が形成され、この形成された通話路を経由して、図３に示す低周波帯域のアナログの音声信号を送受信させることで通話が成立する。
【００８７】
前述までの説明から明らかなように、本発明の第２の実施例における第２の動作によれば、ツイストペア線Ｌ51を経由して接続された玄関子機５１及び居室親機５２の間でアナログのデータ信号と音声信号とを送受信して呼び出し、通話を成立させることができる。また、玄関子機５１側では、カメラ５５にて撮像された映像のデジタル映像信号について周波数スペクトラム拡散させた搬送波を、商用交流電源ラインＬ52に重畳することができる。一方、居室親機５２側では、商用交流電源ラインＬ52に重畳され高速デジタルデータ伝送で伝送されてきた搬送波を、デジタル映像信号に変換することができる。このような信号処理により、カメラ５５にて撮像された映像のデジタル映像信号は、商用交流電源ラインＬ52に誘起された他の搬送波の影響を受けずに、安定した通信速度の高速デジタルデータ伝送でモニタ６２へと伝送可能になり、良好な画質の映像として出画させることができる。
【００８８】
なお、本発明の第１、第２の各実施例によるインターホンシステムにおいて、図１に示す集合玄関機側デジタル信号重畳・分離器１０及び図２に示す玄関子機側デジタル信号重畳・分離器５７にはそれぞれ、映像Ａ／Ｄ変換器９、５９を経由してカメラ８、５５が接続されており、このカメラ８、５５にて撮像された映像のデジタル映像信号について周波数スペクトラムさせた搬送波を、ツイストペア線Ｌ1、Ｌ51又は商用交流電源供給ラインＬ3、52に重畳する態様であったが、このような接続の態様に限定されるものではない。例えば、図１、図２の各図に破線で示すように、高速デジタルデータ伝送で伝送可能なインターネット１００を、集合玄関機側デジタル信号重畳・分離器１０、玄関子機側デジタル信号重畳・分離器５７にそれぞれ接続することもできる。
【００８９】
本発明のインターホンシステムにおいては、特定の実施の形態をもって説明してきたが、この形態に限定されるものでなく、本発明の効果を奏する限り、これまで知られた如何なる構成のインターホンシステムであっても採用できるということはいうまでもないことである。
【図面の簡単な説明】
【００９０】
【図１】本発明の第１の実施例によるインターホンシステムの構成を示すシステム説明図。
【図２】本発明の第２の実施例によるインターホンシステムの構成を示すシステム説明図。
【図３】本発明の第１、第２の各実施例において伝送されるアナログ信号及び高速なデジタル信号の周波数帯域をそれぞれ示す説明図。
【符号の説明】
【００９１】
１……集合玄関機
２ａ、２ｂ、・・・ ……複数の居室親機
３……制御機
５、６ａ、６ｂ、・・・、７、２０、２１ａ、２１ｂ、・・・、５３、５４、６３、６４……ラインフィルタ
８、５５……カメラ
９、５６……映像Ａ／Ｄ変換器
１０……集合玄関機側デジタル信号重畳・分離器
１１……集合玄関機側可変型減衰器
１２……集合玄関機側先端開放スタブフィルタ（先端開放スタブフィルタ）
１３……集合玄関機側電力線搬送波通信モデム（電力線搬送波通信モデム）
１４ａ、１４ｂ、・・・……居室親機側先端開放スタブフィルタ（先端開放スタブフィルタ）
１５ａ、１５ｂ、・・・……居室親機側可変型減衰器
１６ａ、１６ｂ、・・・、５９……居室親機側電力線搬送波通信モデム（電力線搬送波通信モデム）
１７ａ、１７ｂ、・・・、６０……居室親機側デジタル信号重畳・分離器
１８ａ、１８ｂ、・・・、６１……映像Ｄ／Ａ変換器
１９ａ、１９ｂ、・・・、６２……モニタ
５１……玄関子機
５２……居室親機
５７……玄関子機側デジタル信号重畳・分離器
５８……玄関子機側電力線搬送波通信モデム（電力線搬送波通信モデム）
１００……インターネット
Ｌ1、Ｌ2、Ｌ51……ツイストペア線
Ｌ3、Ｌ52……商用交流電源供給ライン
【図１】
2008061179.tif 000004
【図２】
2008061179.tif 000005
【図３】
2008061179.tif 000006